(57)【要約】【課題】安価にして耐水性及び耐久性に優れたインレット付電源スイッチを提供する。【解決手段】インレット付電源スイッチを、絶縁性のケース１及びカバー２と、インレット用のピン端子３，４と、ケース１及びカバー２で構成される空間内に設定される導体板５，６と、導体板５，６に固着される固定接点７，８と、第２導体板６に一体形成されたコネクタ９，１０と、前記空間内に動作可能に収納されるスライダ１１と、スライダ１１に取り付けられる可動接点１３，１４付きの接点板１２と、接点板１２を付勢する第１付勢部材１５と、スライダ１１を付勢する第２付勢部材１６と、スライダ１１の保持ピン１７と、保持ピン１７を付勢する第３付勢部材１８とから構成する。コネクタ９，１０は、第２導体板６の一部よりなる接続ピン９ａ，９ｂ，１０ａ，１０ｂと、その周囲にモールドされたウエハ７０とから構成する。【選択図】　　　　図１
2004119209.tif 000002
【特許請求の範囲】
【請求項１】
絶縁性合成樹脂の成形体をもって構成され、電源コードの先端に設けられた電源コネクタを接続するためのインレット部と電源スイッチのスライダを保持するためのスライダ保持部とが形成された筐体と、前記インレット部に設定された２本のピン端子と、前記筐体内に設定され、前記ピン端子と電気的に接続された導体板と、当該導体板に設定された固定接点と、前記スライダ保持部に操作可能に保持され、前記固定接点と対向する位置に可動接点が設定されたスライダとを備え、前記導体板に、当該導体板の一部よりなる接続ピンと当該接続ピンの周囲にモールドされた絶縁性のウエハとからなる外部コネクタ接続用のコネクタを形成したことを特徴とするインレット付電源スイッチ。
【請求項２】
前記導体板に複数個の前記コネクタを形成したことを特徴とする請求項１に記載のインレット付電源スイッチ。
【請求項３】
前記筐体を絶縁性のケースとカバーとから構成し、前記導体板及び固定接点並びに可動接点の上面を前記カバーにて覆ったことを特徴とする請求項１に記載のインレット付電源スイッチ。
【請求項４】
前記コネクタの上面を前記カバーの内面に当接したことを特徴とする請求項３に記載のインレット付電源スイッチ。
【請求項５】
前記カバーの前記コネクタと対応する位置に、外部コネクタの外形に相当する形状を有する外部コネクタ挿通孔を開設したことを特徴とする請求項３に記載のインレット付電源スイッチ。
【請求項６】
前記インレット部に設定された前記２本のピン端子の先端部を互いに離隔する方向に折り曲げたことを特徴とする請求項１に記載のインレット付電源スイッチ。
【請求項７】
前記導体板の先端部に一端が開放された前記ピン端子の挿通溝を形成したことを特徴とする請求項１に記載のインレット付電源スイッチ。
【請求項８】
前記挿通溝内に挿入された前記ピン端子を前記導体板の先端部にてかしめたことを特徴とする請求項７に記載のインレット付電源スイッチ。
【発明の詳細な説明】
【０００１】
【発明の属する技術分野】
本発明は、例えばビデオゲーム機などに適用されるインレット付電源スイッチに係り、特に、電源スイッチの構成及びインレットに備えられたピン端子と電源スイッチに備えられた固定接点とをつなぐ導体部の構成に関する。
【０００２】
【従来の技術】
従来より、例えばビデオゲーム機などには、一端にＤＣ電源接続用のインレットが備えられ、他端に当該インレットより供給されるＤＣ電源をオンオフするための電源スイッチが備えられたインレット付電源スイッチが設けられている。
【０００３】
従来のインレット付電源スイッチは、図１３に示すように、図示しない所要の電気回路が絶縁基板の表裏両面に形成された両面配線基板１０１と、当該両面配線基板１０１の一端寄りの上面に取り付けられた電源スイッチ１０２と、前記両面配線基板１０１の他端寄りの下面に取り付けられたインレット１０３と、前記両面配線基板１０１の上面の前記電源スイッチ１０２と前記インレット１０３との間に取り付けられた第１コネクタ１０４及び第２コネクタ１０５とから構成されており、前記電源スイッチ１０２、インレット１０３、第１コネクタ１０４及び第２コネクタ１０５は、前記両面配線基板１０１の表裏両面に形成された電気回路を介して接続されている。
【０００４】
このインレット付電源スイッチは、図１３に示すように、例えばビデオゲーム機などの電気機器の筐体１０６内に収納され、前記電源スイッチ１０２のスライダ１０２ａ及び前記インレット１０３の開口部１０３ａがそれぞれ前記筐体１０６の上面１０６ａ及び側面１０６ｂより外向きに配置される。また、前記第１コネクタ１０４及び第２コネクタ１０５には、前記筐体内に備えられた図示しない第１回路及び第２回路に接続された所要の外部コネクタがそれぞれ接続される。
【０００５】
したがって、図１３に示すように、前記筐体１０６の側面１０６ｂ側より前記インレット１０３の開口部１０３ａにＤＣ電源コード１０７の先端部に取り付けられた電源コネクタ１０８を差し込み、前記電源スイッチ１０２のスライダ１０２ａを押圧することによって、前記第１回路及び第２回路へのＤＣ電源の供給をオンオフすることができる。
【０００６】
このインレット付電源スイッチは、電源スイッチ１０２のスライダ１０２ａ及びインレット１０３の開口部１０３ａをそれぞれ電気機器を構成する筐体１０６の上面１０６ａ及び側面１０６ｂに配置することができるので、スライダ１０２ａによる電源のオンオフ操作及び開口部１０３ａへの電源コネクタ１０８の装着が容易で、操作性に優れる。
【０００７】
【発明が解決しようとする課題】
しかしながら、従来例に係るインレット付電源スイッチは、導体部として高価な両面配線基板１０１を用いているので、製品コストが高価になるという不都合がある。
【０００８】
また、従来例に係るインレット付電源スイッチは、導体部として両面配線基板１０１を用いているので、電気機器の筐体１０６を通って内部に水が侵入した場合に、その水が両面配線基板１０１の基板面に直接付着してショートが生じやすく、ことから耐水性が悪いという不都合がある。
【０００９】
また、従来例に係るインレット付電源スイッチは、電源スイッチ１０２として、筐体１０２ｂ内に固定接点と前記スライダ１０２ａにて操作される可動接点とが収納された単体スイッチを用いているので、仮にスライダ１０２ａ、固定接点又は可動接点のいずれかに故障が生じた場合に、電源スイッチ１０２の全体を交換しなくてはならず、経済性が悪いという不都合もある。
【００１０】
さらに、従来例に係るインレット付電源スイッチは、第１コネクタ１０４及び第２コネクタ１０５が両面配線基板１０１にはんだ付けされているので、第１コネクタ１０４及び第２コネクタ１０５に繰り返し外部コネクタを抜き差しした場合に、はんだ付け部が破壊されやすく、耐久性が悪いという不都合もある。
【００１１】
本発明は、かかる技術的課題を解決するためになされたものであり、その目的とするところは、安価にして耐水性及び耐久性に優れたインレット付電源スイッチを提供することにある。
【００１２】
【課題を解決するための手段】
本発明は、前記の課題を解決するため、絶縁性合成樹脂の成形体をもって構成され、電源コードの先端に設けられた電源コネクタを接続するためのインレット部と電源スイッチのスライダを保持するためのスライダ保持部とが形成された筐体と、前記インレット部に設定された２本のピン端子と、前記筐体内に設定され、前記ピン端子と電気的に接続された導体板と、当該導体板に設定された固定接点と、前記スライダ保持部に操作可能に保持され、前記固定接点と対向する位置に可動接点が設定されたスライダとを備え、前記導体板に、当該導体板の一部よりなる接続ピンと当該接続ピンの周囲にモールドされた絶縁性のウエハとからなる外部コネクタ接続用のコネクタを形成するという構成にした。
【００１３】
このように、ピン端子と導体板とを電気的に接続し、かつ導体板に電源スイッチの固定接点を設定すると、高価な両面配線基板を省略できるので、製品コストの低減を図ることができる。また、導体板に設定された固定接点と筐体に操作可能に保持されたスライダと当該スライダに設定された可動接点とをもって電源スイッチを構成すると、仮にスライダ、固定接点又は可動接点のいずれかに故障が生じた場合にも、電源スイッチ全体を交換する必要がなく、故障部品のみを交換すればよいので、修理時の経済性を高めることができる。さらに、導体板に、当該導体板の一部よりなる接続ピンと当該接続ピンの周囲にモールドされた絶縁性のウエハとからなる外部コネクタ接続用のコネクタを形成すると、はんだ付け部を有しないのでコネクタに繰り返し外部コネクタを抜き差ししてもコネクタの破壊が起こらず、耐久性に優れる。また、導体板にコネクタを備えることによって電気機器に備えられた回路への電源の供給を容易化することができるので、電気機器における電源供給系の構成を簡略化することができる。
【００１４】
また、前記構成のインレット付電源スイッチにおいて、前記導体板に複数個の前記コネクタを形成するという構成にした。
【００１５】
このように、導体板に複数個のコネクタを形成すると、電気機器に備えられた複数の回路、例えばメイン回路やファン駆動回路等に電源の供給を行うことができるので、電気機器における電源供給系の構成をより簡略化することができる。
【００１６】
また、前記構成のインレット付電源スイッチにおいて、前記筐体を絶縁性のケースとカバーとから構成し、前記導体板及び固定接点並びに可動接点の上面を前記カバーにて覆うという構成にした。
【００１７】
このように、筐体を絶縁性のケースとカバーとから構成し、導体板及び固定接点並びに可動接点の上面をカバーにて覆うと、電気機器の筐体内に水分が侵入した場合にも前記各活電部間のショートを防止できるので、スイッチ装置の耐水性を高めることができる。
【００１８】
また、前記構成のインレット付電源スイッチにおいて、前記コネクタの上面を前記カバーの内面に当接するという構成にした。
【００１９】
このように、コネクタの上面をカバーの内面に当接すると、外部コネクタ接続用のコネクタの安定性を高めることができ、当該コネクタに対する外部コネクタの抜き差しを操作感良く行うことができると共に、当該コネクタに繰り返し外部コネクタを抜き差ししても、これら各コネクタが破壊されたり、導体板が破壊されるといった不都合を防止することができて、スイッチ装置の耐久性を高めることができる。
【００２０】
また、前記構成のインレット付電源スイッチにおいて、前記カバーの前記コネクタと対応する位置に、外部コネクタの外形に相当する形状を有する外部コネクタ挿通孔を開設するという構成にした。
【００２１】
このように、カバーのコネクタと対応する位置に、外部コネクタの外形に相当する形状を有する外部コネクタ挿通孔を開設すると、ウエハの内面及び外面の形状を使用する外部コネクタの形状に拘わらず簡略化することができ、コネクタひいては製品であるインレット付電源スイッチの低コスト化を図ることができる。
【００２２】
また、前記構成のインレット付電源スイッチにおいて、前記インレット部に設定された前記２本のピン端子の先端部を互いに離隔する方向に折り曲げるという構成にした。
【００２３】
このように、インレット部に設定された２本のピン端子の先端部を互いに離隔する方向に折り曲げると、ピン端子間の絶縁距離を確保することができ、インレット付電源スイッチの信頼性を高めることができる。
【００２４】
また、前記構成のインレット付電源スイッチにおいて、前記導体板の先端部に一端が開放された前記ピン端子の挿通溝を形成するという構成にした。
【００２５】
このように、導体板の先端部に一端が開放されたピン端子の挿通溝を形成すると、インレット部にピン端子を設定した後、当該設定されたピン端子の上方から筐体内に導体板を差し込むだけでピン端子と導体板との連結を完了でき、しかる後にピン端子と導体板とをはんだ付けすればこれら各部材の電気的接続を完了することができるので、インレット付電源スイッチの組立性を良好なものにすることができる。
【００２６】
また、前記構成のインレット付電源スイッチにおいて、前記挿通溝内に挿入された前記ピン端子を前記導体板の先端部にてかしめるという構成にした。
【００２７】
このように、挿通溝内に挿入されたピン端子を導体板の先端部にてかしめると、ピン端子に対して導体板を確実に固定することができ、かつはんだ面積を大きくすることができるので、インレット付電源スイッチの信頼性及び耐久性を高めることができる。
【００２８】
【発明の実施の形態】
以下、本発明に係るインレット付電源スイッチの一実施形態例を、図に基づいて説明する。
【００２９】
図１乃至図５に示すように、本例のインレット付電源スイッチは、絶縁性の合成樹脂で成形されたケース１及びカバー２と、前記ケース１の一端に設定される第１及び第２のピン端子３，４と、前記ケース１及び前記カバー２を組み合わせることによって構成される空間内に設定される第１及び第２の導体板５，６と、これら第１及び第２の導体板５，６のそれぞれに固着される第１及び第２の固定接点７，８と、前記第２導体板６に一体形成された第１及び第２のコネクタ９，１０と、前記ケース１及び前記カバー２を組み合わせることによって構成される空間内に上下動可能に収納され、上端部がカバー２に開設された開孔を通して外部に突出されるスライダ１１と、当該スライダ１１に取り付けられる接点板１２と、当該接点板１２の両端部に固着される第１及び第２の可動接点１３，１４と、前記接点板１２を常時下向きに付勢する第１付勢部材１５と、前記ケース１及び前記カバー２に対して前記スライダ１１を常時上向きに付勢する第２付勢部材１６と、前記スライダ１１を押し込み状態又は上昇状態に保持する保持ピン１７と、当該保持ピン１７を常時前記スライダ１１に密着させる方向に付勢する第３付勢部材１８とから主に構成されている。なお、図１は実施形態例に係るインレット付電源スイッチの分解斜視図、図２は実施形態例に係るインレット付電源スイッチの組み立て状態の斜視図、図３は実施形態例に係るインレット付電源スイッチの組み立て状態の平面図、図４は図３の４−４断面図、図５は図３の５−５断面図である。
【００３０】
ケース１は、図１、図４乃至図７に示すように、平面形状が略くの字形に形成された平面部２１と、当該平面部２１の一端部の下面に形成されたインレット部２２と、前記平面部２１の他端寄りの上面に形成された電源スイッチ設定部２３とから構成されている。なお、図６は実施形態例に係るインレット付電源スイッチに備えられるケース１の平面図、図７は実施形態例に係るインレット付電源スイッチに備えられるケース１の側面図である。
【００３１】
前記平面部２１の長手方向の側縁部には、一端が前記電源スイッチ設定部２３と連結され、他端が前記インレット部２２の形成部付近まで伸びる導体板保持部２４，２５が起立され、これら２つの導体板保持部２４，２５の前記インレット部２２側の端部と隣接する部分には、前記第１及び第２の導体板５，６の一端を貫通するための導体板貫通孔２６，２７が開設されている。また、前記２つの導体板保持部２４，２５の間には、実施形態例に係るインレット付電源スイッチを図示しない電気機器に固定するためのビスが挿通されるビス孔２８と、前記カバー２に形成された第２の係止爪６９（後述）が挿通される係止爪挿通穴２８ａと、前記第２の導体板６を位置決めするための２つの位置決め孔２９とが開設されている。さらに、前記導体板保持部２４寄りの部分には、前記第１の導体板５を位置決めするための位置決め突起３０が突設されている。
【００３２】
前記インレット部２２は、前記平面部２１の一端より垂下された垂直面３１と、当該垂直面３１に開設された電源コネクタ挿入孔３２と、当該電源コネクタ挿入孔３２の周縁に沿って外向きに突出形成された略楕円状のリブ３３と、前記電源コネクタ挿入孔３２内に形成されたピン端子設定部３４と、当該ピン端子設定部３４に開設されたピン端子設定孔３５，３６と、前記垂直面３１の背面側に形成されたピン端子保持板３７，３８とから構成されている。前記ピン端子保持板３７，３８は、前記ピン端子設定孔３５，３６の外周に一面が接するようにして形成されており、その一端には前記第１及び第２のピン端子３，４の係合部３９が形成されている。
【００３３】
前記電源スイッチ設定部２３は、前記導体板保持部２４，２５の一端が連結される略８角形のカバー取付部４１と、当該カバー取付部４１の外面に突設された前記カバー２を係止するための第１の係止爪４２と、前記カバー取付部４１の内面に突設された前記第２付勢部材１６の下端を保持するための第２付勢部材受け４３と、前記第２付勢部材１６の動揺を抑制するための第２付勢部材保持部４４と、前記第２付勢部材受け４３と所要の間隔を隔てて対向に配置された固定接点受け４５，４６と、前記第２付勢部材受け４３と前記固定接点受け４５，４６との間に開設された導体板取付孔４７，４８と、前記スライダ１１を上下動可能に保持するためのスライダ保持部４９，５０と、スライダ保持部５０に形成された保持ピン１７の設定溝５１と、当該保持ピン設定溝５１と一連に形成され、前記保持ピン１７の一端を保持する保持ピン保持部５２と、前記カバー取付部４１と前記スライダ保持部５０との間に形成された前記第３付勢部材１８の設定部５３とから構成されている。前記カバー取付部４１の一部には、前記第１及び第２の導体板５，６を挿通するための切欠部５４が形成される。また、前記導体板取付孔４７，４８は、前記第１及び第２の導体板５，６の一部を圧入可能な大きさに形成される。
【００３４】
前記カバー２は、図１、図４及び図５に示すように、前記ケース１の上面に形成された電源スイッチ設定部２３及び導体板保持部２４，２５を覆うものであって、前記スライダ１１を収納するためのスライダ収納部６１と、前記第１及び第２のコネクタ９，１０を収納するためのコネクタ収納部６２と、前記導体板保持部２４，２５を収納するための導体板収納部６３とから構成されている。
【００３５】
前記スライダ収納部６１の天板６１ａには、前記スライダ１１の上端部を外部に突出するための角形のスライダ挿通孔６４が開設され、その周縁部には角形のフランジ６５が突設されている。また、このスライダ収納部６１の相対向する２側面の下端部からは舌片６６が垂設され、当該舌片６６の下端部には、前記ケース１に形成された第１の係止爪４２を係止するための透孔６７と係止片６８とが形成されている。また、前記コネクタ収納部６２には、外部コネクタＣ，Ｄを差し込んで当該外部コネクタＣ，Ｄと前記第１及び第２のコネクタ９，１０との接続を可能にするための外部コネクタ挿通孔６６，６７が開設されている。これら外部コネクタ挿通孔６６，６７は、外部コネクタＣ，Ｄの外形に対応する形状であって、かつ、前記第１及び第２のコネクタ９，１０を挿通できない大きさに形成される。また、前記コネクタ収納部６２と前記導体板収納部６３との境界部分には、前記平面部２１に開設されたビス孔２８と連通するビス孔６８ａが開設されている。さらに、前記導体板収納部６３の先端部には、前記ケース１に開設された係止爪挿通穴２８ａ内に挿通される第２係止爪６９が垂設されている。
【００３６】
前記第１及び第２のピン端子３，４は、高剛性かつ良導電性の金属材料をもって棒状に形成されており、その中央部からやや前方には、ストッパ３ａ、４ａが形成されている。
【００３７】
前記第１導体板５は、図１に示すように、前記ケース１に開設された導体板取付孔４７内に圧入される圧入部５ａと、圧入部５ａの上端部より水平に折り返された固定接点取付部５ｂと、前記ケース１に形成された導体板保持部２４に沿って保持される保持部５ｃと、当該保持部５ｃの先端部より水平に折り返された固定部５ｄと、当該固定部５ｄの先端部より垂直下向きに折り返され、前記ケース１に開設された導体板貫通孔２６内に貫通される接続部５ｅとから構成されている。前記固定接点取付部５ｂには、前記固定接点７を圧入固定するための圧入孔５ｆが開設され、前記固定部５ｄには、前記ケース１に形成された位置決め突起３０が圧入される圧入孔５ｇが開設される。また、前記接続部５ｅの先端部には、前記ピン端子３の先端部を挿通するための一端が開放された挿通溝５ｈが形成される。
【００３８】
前記第２導体板６は、図１及び図４に示すように、前記ケース１に開設された導体板取付孔４８内に圧入される圧入部６ａと、圧入部６ａの上端部より水平に折り返された固定接点取付部６ｂと、前記第１及び第２のコネクタ９，１０の形成部６ｃと、当該コネクタ形成部６ｃの先端部より垂直下向きに折り返され、前記ケース１に開設された導体板貫通孔２７内に貫通される接続部６ｄとから構成されている。前記固定接点取付部６ｂには、前記固定接点８を圧入固定するための圧入孔６ｅが開設され、前記接続部６ｄの先端部には、前記ピン端子４の先端部を挿通するための一端が開放された挿通溝６ｆが形成される。前記コネクタ形成部６ｃからは、前記第１及び第２のコネクタ９，１０を構成するための接続ピン９ａ，９ｂ，１０ａ，１０ｂが起立され、前記コネクタ形成部６ｃの一部及び前記接続ピン９ａ，９ｂ，１０ａ，１０ｂの周囲には、前記第１及び第２のコネクタ９，１０を構成するための絶縁性のウエハ７０がモールドされている。前記第１のコネクタ９は、前記接続ピン９ａ，９ｂ及び前記ウエハ７０の一部をもって構成され、前記第２のコネクタ１０は、前記接続ピン１０ａ，１０ｂ及び前記ウエハ７０の他の一部をもって構成される。さらに、前記ウエハ７０の下面には、前記ケース１の平面部２１に開設された位置決め孔２９に係合される位置決め突起７０ａが突設されている。
【００３９】
前記第１及び第２の導体板５，６は、高剛性かつ良導電性の金属材料をもって形成される。
【００４０】
第１及び第２の固定接点７，８は、図１に示すように、鳩目状に形成されており、小径部の直径は、前記第１導体板５の固定接点取付部５ｂに開設された圧入孔５ｆ及び前記第２導体板６の固定接点取付部６ｂに開設された圧入孔６ｅに圧入可能な直径に形成される。これら第１及び第２の固定接点７，８は、例えば銅又は銅合金など、導電性及び耐摩耗性に優れた金属をもって形成される。
【００４１】
前記スライダ１１は、絶縁性の合成樹脂で成形されており、図１、図８及び図９に示すように、前記カバー２に形成されたスライダ収納部６１内に収納可能で、かつ、前記スライダ収納部６１の天板６１ａに開設されたスライダ挿通孔６４より上端部を突出可能な大きさの直方体状に形成された主部７１と、当該主部７１に上面に突設された図示しないノブの取付部７２と、前記主部７１の下面より張り出されたストッパ７３と、当該ストッパ７３の下面より垂設された枠形の可動接点設定部７４とから主に構成されている。なお、図８は実施形態例に係るインレット付電源スイッチに備えられるスライダ１１の正面図、図９は実施形態例に係るインレット付電源スイッチに備えられるスライダ１１の側面図である。
【００４２】
前記ストッパ７３の下面には、前記第１付勢部材１５を保持するための第１付勢部材保持突起７５が突設される。また、前記可動接点設定部７４の一部を構成する水平板の上面には、前記接点板１２を上下動可能に保持するための接点板案内突起７６が前記第１付勢部材保持突起７５と対向に突設される。さらに、前記可動接点設定部７４の一部を構成する一方の垂直板の外面には、前記保持ピン１７の一端がスライド可能に係合されるハートカム溝７７が刻設されている。なお、ハートカム溝７７の具体的な構成については、公知に属する事項であり、かつ本発明の要旨でもないので省略する。
【００４３】
前記接点板１２は、導電性及び剛性に優れた金属材料をもって長円形に形成されており、その中央部に前記接点板案内突起７６を貫通するための取付孔１２ａが開設されると共に、両端部に第１及び第２の可動接点１３，１４を圧入固定するための圧入孔１２ｂ、１２ｃが開設されている。なお、前記取付孔１２ａの周縁部には、接点板１２の薄形化と動作安定性を高めるためにカーリング加工が施される。
【００４４】
前記第１及び第２の可動接点１３，１４は、図１に示すように、鳩目状に形成されており、小径部の直径は、前記接点板１２に開設された圧入孔１２ｂ、１２ｃに圧入可能な直径に形成される。これら第１及び第２の可動接点１３，１４は、例えば銅又は銅合金など、導電性及び耐摩耗性に優れた金属をもって形成される。
【００４５】
前記第１付勢部材１５及び第２付勢部材１６としては、図１に示すように、コイルスプリングが用いられる。第１付勢部材１５は、前記可動接点設定部７４内に設定可能で、かつ前記接点板１２の動作範囲で圧縮伸張可能なサイズに形成され、前記第２付勢部材１６は、前記ケース１の電源スイッチ設定部２３に形成された付勢部材受け４３に設定可能で、かつ前記スライダ１１の動作範囲で圧縮伸張可能なサイズに形成される。
【００４６】
前記保持ピン１７は、高弾性の金属棒をもって構成されており、直棒状に形成された連結部１７ａの一端より前記ケース１の電源スイッチ設定部２３に形成された保持ピン保持部５２に保持される保持部１７ｂと、前記スライダ１１の可動接点設定部７４に形成されたハートカム溝７７に係合される係合部１７ｃとを同一方向に直角に折り返してなる。なお、保持部１７ｂは、係合部１７ｃよりも全長が短く形成される。
【００４７】
第３付勢部材１８は、高弾性の金属板をもって構成されており、平板状に形成された押圧部１８ａの両端部より、前記ケース１の電源スイッチ設定部２３に形成された第３付勢部材設定部５３に固着される固着部１８ｂ，１８ｃを同一方向に直角に折り返してなる。
【００４８】
以下、前記のように構成された第１実施形態例に係るインレット付電源スイッチの組立方法について説明する。
【００４９】
まず、図１３に示すように、前記インレット部２２に開設されたピン端子設定孔３５，３６内に前記第１及び第２のピン端子３，４の一端を挿入した後、前記インレット部２２に形成されたピン端子保持板３７，３８の後方に突出された前記第１及び第２のピン端子３，４の一端を前記ピン端子係合部３９に沿って互いに離隔する方向に折り曲げ、折り曲げ部３ｂ，４ｂを形成する。これにより、前記第１及び第２のピン端子３，４は、これら各ピン端子３，４に形成されたストッパ３ａ，４ａと前記折り曲げ部３ｂ，４ｂとによって前記ケース１のインレット部２２に固定される。
【００５０】
次に、前記第１導体板５の固定接点取付部５ｂに開設された圧入孔５ｆに第１固定接点７の小径部を圧入し、前記固定接点取付部５ｂの上面に第１固定接点７を固着する。また、これと並行して、前記第２導体板６の固定接点取付部６ｂに開設された圧入孔６ｅに第２固定接点８の小径部を圧入し、前記固定接点取付部６ｂの上面に第２固定接点８を固着する。
【００５１】
しかる後に、図１１に示すように、前記第１固定接点７が固着された第１導体板５を前記ケース１の上方に配置し、当該第１導体板５の圧入部５ａを前記ケース１の電源スイッチ設定部２３に開設された導体板取付孔４７に圧入すると共に、前記第１固定接点７の他端部に形成された接続部５ｅを前記ケース１の平面部２１に開設された導体板貫通孔２６内に貫通し、図１２（ａ）に示すように、当該接続部５ｅの先端部に開設された挿通溝５ｈ内に前記第１ピン端子３の折り曲げ部３ｂを挿通する。また、前記第１導体板５の固定部５ｄに開設された圧入孔５ｇに前記ケース１の平面部２１に突設された位置決め突起３０を圧入する。さらに、図１２（ｂ）に示すように、前記第１ピン端子３の折り曲げ部３ｂに前記接続部５ｅの先端部をかしめ付けた後、図１２（ｃ）に示すように、当該かしめ付け部をはんだ付けする。これにより、前記ケース１に対する前記第１ピン端子３と前記第１導体板５と前記第１固定接点７との取り付けを完了する。
【００５２】
また、前記第２固定接点８が固着された第２導体板６を前記ケース１の上方に配置し、当該第２導体板６の圧入部６ａを前記ケース１の電源スイッチ設定部２３に開設された導体板取付孔４８に圧入すると共に、前記第２固定接点８の他端部に形成された接続部６ｄを前記ケース１の平面部２１に開設された導体板貫通孔２７内に貫通し、当該接続部６ｄの先端部に開設された挿通溝６ｆ内に前記第２ピン端子４の折り曲げ部４ｂを挿通する。また、前記ウエハ７０の下面に形成された位置決め突起７０ａを前記ケース１の平面部２１に開設された位置決め孔２９に係合する。さらに、前記第２ピン端子４の折り曲げ部４ｂに前記接続部６ｄの先端部をかしめ付けた後、当該かしめ付け部をはんだ付けする（図１１及び図１２参照）。これにより、前記ケース１に対する前記第２ピン端子４と前記第２導体板６と前記第２固定接点８と前記第１及び第２のコネクタ９，１０との取り付けを完了する。
【００５３】
次に、前記接点板１２の両端部に開設された圧入孔１２ｂ，１２ｃに前記第１及び第２の可動接点１３，１４の小径部を圧入し、前記接点板１２の下面に前記第１及び第２の可動接点１３，１４を固着する。
【００５４】
次に、前記ケース１の電源スイッチ設定部２３に形成された保持ピン保持部５２に前記保持ピン１７の一端に形成された保持部１７ｂを挿通し、前記ケース１に対して保持ピン１７を揺動可能に取り付ける。さらに、前記ケース１の電源スイッチ設定部２３に形成された第３付勢部材設定部５３に前記第３付勢部材１８の固着部１８ｂ，１８ｃを装着し、前記第３付勢部材１８の押圧部１８ａにて前記保持ピン１７を一方向に付勢する。
【００５５】
次に、前記接点板１２の中央部に開設された取付孔１２ａに前記スライダ１１の可動接点設定部７４に突設された接点板案内突起７６を貫通し、前記第１及び第２の可動接点１３，１４が固着された接点板１２を前記スライダ１１と組み合わせる。
【００５６】
次に、第１付勢部材１５の中空部に前記ストッパ７３の下面に突設された第１付勢部材保持突起７５と前記可動接点設定部７４の一部を構成する水平板の上面に突設された接点板案内突起７６とを挿入し、前記ストッパ７３の下面と前記接点板１２の上面との間に前記第１付勢部材１５を張設する。このとき、前記第１及び第２の固定接点７，８と前記第１及び第２の可動接点１３，１４とが対向に配置され、電源スイッチが構成される。
【００５７】
次に、前記ケース１の電源スイッチ設定部２３に形成された第２付勢部材受け４３上に前記第２付勢部材１６の下端部を載置した後、当該第２付勢部材１６の中空部内に前記接点板１２が取り付けられた前記スライダ１１の可動接点設定部７４を挿入し、当該スライダ１１に形成されたストッパ７３の下面に前記第２付勢部材１６の上端部を当接する。このとき、前記スライダ１１の垂直板の外面に刻設されたハートカム溝７７内に前記保持ピン１７の一端に形成された係合部１７ｃを挿入する。
【００５８】
最後に、前記ケースの上方より前記カバー２を被せ、当該カバー２のスライダ収納部６１に開設されたスライダ挿通孔６４よりスライダ１１の上端部を突出させた後、前記ケースの電源スイッチ設定部２３に形成された第１係止爪４２に前記カバー２に形成された係止片６８をスナップ結合すると共に、前記カバー２に形成された第２係止爪６９を前記ケース１に開設された係止爪挿通穴２８ａを通して前記ケース１の裏面にスナップ結合する。これにより、実施形態例に係るインレット付電源スイッチの組立が完了する。組立状態においては、前記第２付勢部材１６が前記ケース１と前記カバー２との間で圧縮され、その弾性力によって前記スライダ１１が常時上向きに付勢される。
【００５９】
以下、前記のように構成されたインレット付電源スイッチの動作について説明する。
【００６０】
本例のインレット付電源スイッチは、図２に示すように、例えばビデオゲーム機などの電気機器の筐体Ａ内に収納され、電源スイッチのスライダ１１及び前記インレット部２２の電源コネクタ挿入孔３２とがそれぞれ前記筐体Ａの上面Ａａ及び側面Ａｂより外向きに配置される。そして、前記インレット部２２の電源コネクタ挿入孔３２には電源コネクタＢが接続され、前記第１及び第２のコネクタ９，１０には所要の外部コネクタＣ，Ｄがカバー２に開設された外部コネクタ挿通穴６６，６７を通して接続される。
【００６１】
この状態からユーザがスライダ１１を押し込むと、スライダ１１が第２付勢部材１６の弾性力に抗して下降され、第１固定接点７と第１可動接点１３及び第２固定接点８と第２可動接点１４とが接触する。また、この状態からさらにスライダ１１を押し込むと、接点板１２が第１付勢部材１５の弾性力に抗して上昇し、第１固定接点７と第１可動接点１３及び第２固定接点８と第２可動接点１４とが所要の押圧力にて当接されて電気回路が閉成され、外部コネクタＣ，Ｄを介して所要の電気回路に電源コネクタＢからの電源が供給される。スライダ１１の押し込み時、保持ピン１７の保持部１７ｂは、図９に示すように、前記スライダ１１に形成されたハートカム溝７７に案内されて、ハートカム溝７７内をａ→ｂ→ｃのルートで移動する。前記固定接点６，７と前記可動接点１３，１４とを導通させた後、ユーザがスライダ１１（実際には、図示しない操作ノブ）から手を離すと、スライダ１１は前記第２付勢部材１６の弾性力によって上昇し、保持ピン１７の保持部１７ｂがハートカム溝７７内のストッパｄに係合される。これによって、スライダ１１がオン状態に安定に保持される。
【００６２】
この状態からユーザがスライダ１１を再度押し込むと、スライダ１１が第２付勢部材１６の弾性力に抗して下降され、保持ピン１７の保持部１７ｂがハートカム溝７７内をｄ→ｃのルートで移動する。この状態よりユーザがスライダ１１（実際には、図示しない操作ノブ）から手を離すと、スライダ１１は前記第２付勢部材１６の弾性力によって上昇し、保持ピン１７の保持部１７ｂはハートカム溝７７内をｃ→ｅ→ａのルートで移動し、操作前の位置に復帰する。したがって、この過程において、接点板１２が第１付勢部材１５の弾性力によって操作前の位置に復帰すると共に、スライダ１１が第２付勢部材１６の弾性力によって操作前の位置に復帰し、第１固定接点７と第１可動接点１３及び第２固定接点８と第２可動接点１４との当接が解除されて電気回路が開成され、外部コネクタＣ，Ｄを介して所要の電気回路に供給されていた電源コネクタＢからの電源が停止される。これによって、スライダ１１がオフ状態に安定に保持される。
【００６３】
本実施形態例に係るインレット付電源スイッチは、第１及び第２のピン端子３，４と第１及び第２の導体板５，６とをそれぞれ電気的に接続し、かつ第１及び第２の導体板５，６に電源スイッチの固定接点７，８を設定したので、高価な両面配線基板を省略でき、製品コストの低減を図ることができる。
【００６４】
また、本実施形態例に係るインレット付電源スイッチは、第１及び第２の導体板５，６に設定された第１及び第２の固定接点７，８と、ケース１及びカバー２とからなる筐体に操作可能に保持されたスライダ１１と、当該スライダ１１に設定された第１及び第２の可動接点１３，１４とをもって電源スイッチを構成するので、仮にスライダ１１、固定接点７，８又は可動接点１３，１４のいずれかに故障が生じた場合にも、電源スイッチ全体を交換する必要がなく、故障部品のみを交換すればよいので、修理時の経済性を高めることができる。
【００６５】
また、本実施形態例に係るインレット付電源スイッチは、ピン端子３，４の軸線方向とスライダ１１の操作方向とを異なる方向に設定したので、インレット部２２と電源スイッチのスライダ１１とを離隔した位置に配置することができ、インレット部２２に対する電源コネクタＢの着脱及びスライダの操作性を良好なものにすることができる。
【００６６】
また、本実施形態例に係るインレット付電源スイッチは、ピン端子３，４の軸線方向とスライダ１１の操作方向とを直交させたので、インレット部２２と電源スイッチのスライダ１１とをそれぞれ電気機器を構成する筐体Ａの上面Ａａ及び側面Ａｂに配置することができ、スライダ１１による電源のオンオフ操作及びインレット部２２への電源コネクタＢの装着をより容易化することができ、それらの操作性をより良好なものにすることができる。
【００６７】
また、本実施形態例に係るインレット付電源スイッチは、第２導体板６の一部に当該第２導体板６の一部よりなる接続ピン９ａ，９ｂ，１０ａ，１０ｂと当該接続ピンの周囲にモールドされた絶縁性のウエハ７０とからなる外部コネクタ接続用のコネクタ９，１０を形成したので、コネクタを両面配線基板にはんだ付けする場合に比べて外部コネクタの抜き差しによる破壊を起こしにくく、耐久性に優れる。加えて、第２導体板６に第１及び第２のコネクタ９，１０を備えたので、電気機器に備えられた複数の回路、例えばメイン回路やファン駆動回路などへの電源の供給を容易化することができ、電気機器における電源供給系の構成を簡略化することができる。
【００６８】
また、本実施形態例に係るインレット付電源スイッチは、ピン端子３，４、導体板５，６、固定接点７，８及び可動接点１３，１４等の活電部をケース１及びカバー２からなる絶縁性の筐体内に収納したので、耐水性に優れ、仮に電気機器の筐体Ａを通って水分が侵入した場合にも電気回路のショートを防止することができる。
【００６９】
また、本実施形態例に係るインレット付電源スイッチは、第２導体板６と一体に形成されたウエハ７０の上面をカバー２の内面に当接するので、第１及び第２のコネクタ９，１０の安定性が高く、これら第１及び第２のコネクタ９，１０に対する外部コネクタＣ、Ｄの抜き差しを操作感良く行うことができると共に、第１及び第２のコネクタ９，１０に繰り返し外部コネクタＣ、Ｄを抜き差ししても、これら第１及び第２のコネクタ９，１０が破壊されたり、第２の導体板が破壊されるといった不都合を防止することができる。
【００７０】
また、本実施形態例に係るインレット付電源スイッチは、カバー２に外部コネクタＣ，Ｄの外形に対応する形状の外部コネクタ挿通穴６６，６７を開設したので、ウエハ７０の内面及び外面の形状を使用する外部コネクタＣ，Ｄの形状に拘わらず簡略化することができ、第１及び第２のコネクタ９，１０ひいては製品であるインレット付電源スイッチの低コスト化を図ることができる。
【００７１】
また、本実施形態例に係るインレット付電源スイッチは、インレット部２２に設定された２本のピン端子３，４の先端部を互いに離隔する方向に折り曲げたので、ピン端子３，４間の絶縁距離を確保することができ、インレット付電源スイッチの信頼性を高めることができる。
【００７２】
また、本実施形態例に係るインレット付電源スイッチは、導体板５，６の先端部に一端が開放されたピン端子の挿通溝５ｈ、６ｆを形成したので、インレット部２２にピン端子３，４を設定した後、当該設定されたピン端子３，４の上方からケース１内に導体板５，６を差し込むだけでピン端子３，４と導体板５，６との連結を完了でき、しかる後にピン端子３，４と導体板５，６とをはんだ付けすればこれら各部材の電気的接続を完了することができるので、インレット付電源スイッチの組立性を良好なものにすることができる。
【００７３】
さらに、本実施形態例に係るインレット付電源スイッチは、導体板５，６の先端部に形成された挿通溝５ｈ、６ｆ内に挿入されたピン端子３，４を導体板５，６の先端部にてかしめ付けるので、ピン端子３，４に対して導体板５，６を確実に固定することができ、かつはんだ面積を大きくすることができて、インレット付電源スイッチの信頼性及び耐久性を高めることができる。
【００７４】
【発明の効果】
以上説明したように、本発明のインレット付電源スイッチは、ピン端子と導体板とを電気的に接続し、かつ導体板に電源スイッチの固定接点を設定したので、高価な両面配線基板を省略でき、製品コストの低減を図ることができる。また、導体板に設定された固定接点と筐体に操作可能に保持されたスライダと当該スライダに設定された可動接点とをもって電源スイッチを構成したので、仮にスライダ、固定接点又は可動接点のいずれかに故障が生じた場合にも、電源スイッチ全体を交換する必要がなく、故障部品のみを交換すればよいので、修理時の経済性を高めることができる。さらに、導体板に、当該導体板の一部よりなる接続ピンと当該接続ピンの周囲にモールドされた絶縁性のウエハとからなる外部コネクタ接続用のコネクタを形成したので、コネクタに繰り返し外部コネクタを抜き差ししてもはんだ付け部の破壊ということが起こり得ず、耐久性に優れる。また、導体板にコネクタを備えることによって電気機器に備えられた回路への電源の供給を容易化することができるので、電気機器における電源供給系の構成を簡略化することができる。
【図面の簡単な説明】
【図１】実施形態例に係るインレット付電源スイッチの分解斜視図である。
【図２】実施形態例に係るインレット付電源スイッチの組み立て状態の斜視図である。
【図３】実施形態例に係るインレット付電源スイッチの組み立て状態の平面図である。
【図４】図３の４−４断面図である。
【図５】図３の５−５断面図である。
【図６】実施形態例に係るインレット付電源スイッチに備えられるケースの平面図である。
【図７】実施形態例に係るインレット付電源スイッチに備えられるケースの側面図である。
【図８】実施形態例に係るインレット付電源スイッチに備えられるスライダの正面図である。
【図９】実施形態例に係るインレット付電源スイッチに備えられるスライダの側面図である。
【図１０】実施形態例に係るインレット付電源スイッチのケースに対するピン端子の設定方法を示す説明図である。
【図１１】実施形態例に係るインレット付電源スイッチのケースに対する導体板の設定方法を示す説明図である。
【図１２】実施形態例に係るインレット付電源スイッチのピン端子に対する導体板の取付方法を示す説明図である。
【図１３】従来例に係るインレット付電源スイッチの斜視図である。
【符号の説明】
１　ケース
２　カバー
３，４　ピン端子
５，６　導体板
７，８　固定接点
９，１０　コネクタ
１１　スライダ
１２　接点板
１３，１４　可動接点
１５　第１付勢部材
１６　第２付勢部材
１７　保持ピン
１８　第３付勢部材
【図１】
2004119209.tif 000003
【図２】
2004119209.tif 000004
【図３】
2004119209.tif 000005
【図４】
2004119209.tif 000006
【図５】
2004119209.tif 000007
【図６】
2004119209.tif 000008
【図７】
2004119209.tif 000009
【図８】
2004119209.tif 000010
【図９】
2004119209.tif 000011
【図１０】
2004119209.tif 000012
【図１１】
2004119209.tif 000013
【図１２】
2004119209.tif 000014
【図１３】
2004119209.tif 000015